(57)【特許請求の範囲】
【請求項１】
カウンターの長手方向端部に設けた開口調整範囲の裏面に、長手方向へ伸びる凹条を短手方向の全幅にわたり複数形成し、凹条どうしの間及び前後両端に強度を確保するためのリブを形成し、凹条の幅寸法をリブの幅寸法よりも大きく形成したことを特徴とする間口調整用カウンター。
【請求項２】
カウンターの長手方向端部に設けた開口調整範囲に、カウンター端面に開口し長手方向へ伸びる空洞を短手方向の全幅にわたり複数形成し、空洞どうしの間及び前後両端にリブが形成され、当該リブはカウンターの表面側の厚み部分から裏面側の厚み部分まで連続しており、空洞の幅寸法をリブの幅寸法よりも大きく形成したことを特徴とする間口調整用カウンター。
【発明の詳細な説明】
【０００１】
【発明の属する技術分野】
本発明は、便器本体の後部上面に載置される洗浄タンクをカバーするキャビネットや洗面所等に設けられるカウンターに関するものである。
【０００２】
【従来の技術】
従来、便器本体の後部上面に載置される洗浄タンクをカバーするキャビネットのカウンターの技術として、図５及び図６に示すものがある。この従来技術は、便器本体１の後部上面に載置される洗浄タンク２を覆うキャビネット３を箱状に形成し、便器本体１と洗浄タンク２を組み付けた後、洗浄タンク２の上方からこれに被せて施工している。そして、該キャビネット３の上面側開口４にカウンター５を配設している。
【０００３】
カウンター５は、端部側に切断用の溝６が複数個設けられている。これは、トイレ室内の間口寸法に応じた溝６の位置で溝６に沿ってカウンター５を切断することにより、カウンター５の長さ寸法をトイレ室内の間口寸法に合わせるように調整するためである。
【０００４】
【発明が解決しようとする課題】
ところが、前記従来技術にあっては、複数個の溝６が並列して連続的に設けられているために、強度上の問題があり、曲げ応力等が作用すると容易に破断されるという問題があった。また正面側から溝６の端面が見え、見栄えが極めて悪いという問題があった。
【０００５】
【課題を解決するための手段】
本発明は従来の前記課題に鑑みてこれを改良除去したものであって、強度上の問題がなく、また間口調整のための切断作業が容易に行えるカウンターを提供せんとするものである。
【０００６】
前記課題を解決するために本発明が採用した請求項１の手段は、カウンターの長手方向端部に設けた開口調整範囲の裏面に、長手方向へ伸びる凹条を短手方向の全幅にわたり複数形成し、凹条どうしの間及び前後両端に強度を確保するためのリブを形成し、凹条の幅寸法をリブの幅寸法よりも大きく形成したことを特徴とする間口調整用カウンターである。
凹条が長手方向へ伸びるものであり、各凹条の範囲内において、カウンターを凹条とクロスする短手方向で切断することにより、現場における切断作業が極めて容易であり、建物室内の間口寸法にカウンターの長さ寸法を合わせることが容易である。しかも、凹条どうしの間にリブが形成されているため、当該凹条部分の強度を確保することができ、曲げ応力等によって簡単に破断するというようなことはない。
【０００７】
本発明が採用した請求項２の手段は、カウンターの長手方向端部に設けた開口調整範囲に、カウンター端面に開口し長手方向へ伸びる空洞を短手方向の全幅にわたり複数形成し、空洞どうしの間及び前後両端にリブが形成され、当該リブはカウンターの表面側の厚み部分から裏面側の厚み部分まで連続しており、空洞の幅寸法をリブの幅寸法よりも大きく形成したことを特徴とする間口調整用カウンターである。
この請求項２の発明では、空洞部の分だけカウンターの切断作業時の負担が軽減されるので、現場における切断作業が極めて容易であり、やはり建物室内の間口寸法にカウンターの長さ寸法を合わせることが容易である。しかも、空洞部どうしの間には、カウンターの表面側の厚み部分から裏面側の厚み部分まで連続するリブが形成されており、空洞部の介在する領域におけるカウンターの十分な強度を確保することができるので、曲げ応力等によってカウンターが簡単に破断するというようなことはない。
【０００８】
【発明の実施の形態】
以下に、本発明の構成を図面に示す発明の実施の形態に基づいて説明すると次の通りである。図１乃至図３は本発明の第１の実施の形態に係るものであり、図１はトイレ室内へ組み込んだ状態を示すキャビネット７の正面図、図２の図（Ａ）はキャビネット７のカウンター８を取り除いた状態の平面図、図（Ｂ）は背板９と左右の側面板１０Ａ，１０Ｂとの関係を示す背面側から見た斜視図、図（Ｃ）は扉１１の部分拡大横断面図である。同図に示す如く、この実施の形態のキャビネット７は、背板９と、左右の側面板１０Ａ，１０Ｂと、前面板１２と、カウンター８とからなる。
【０００９】
背板９は、図２の図（Ａ）及び図（Ｂ）に示すように、トイレ室の背面側の壁面１３Ａの間柱１４若しくは横桟等があればこれらの建物躯体の骨組みに固定される。そして、この背板９に対して左右の側面板１０Ａ，１０Ｂがビス１５等により固定される。固定の順序としては、背板９に左右の側面板１０Ａ，１０Ｂを取り付けた後、背板９を建物躯体側へビス１５等により固定するようにすればよい。左右の側面板１０Ａ，１０Ｂの下端側は、Ｌ型金具等を用いて床に固定すればよい。なお、左右の側面板１０Ａ，１０Ｂの背面壁１３Ａ側の下部には、配管スペース又は幅木用の逃がし１０Ｃが切欠き形成されている。更に、左右の側面板１０Ａ，１０Ｂの上部壁面よりには、壁面１３Ａへ既に設置してある横桟若しくは補強材などの逃がし１０Ｄが形成されている。
【００１０】
前面板１２は、上下に分割され、更に下部側が左右に分割されており、上部分割片１２Ａと、下部左側分割片１２Ｂと、下部右側分割片１２Ｃとから成る。上下に分割する位置は、便器本体１６のリム通水路１７の下方側にしている。これは、上下の分割ラインＨが便器本体１６の上面よりも低い位置に形成され、安定した印象を与えるからである。また別な前面板１２の上下の分割片１２Ａ〜１２Ｃを、便器本体１６の形状に沿わせるように製作することが容易となるからである。
【００１１】
上部分割片１２Ａの場合は、便器本体１６の後部上面に上方から跨がることのできるようにコ字状の突出部１８Ａ，１８Ｂを形成し、矩形状の切欠き１９を設ければよい。また下部側の左右の分割片１２Ｂ及び１２Ｃについては、内側端面をそれぞれ便器本体１６の左右側面形状に倣った形状にすればよく、リム通水路１７の下方側の凹部に対応する位置には、該凹部に向かって突出する凸部２０Ａ，２０Ｂが形成されている。これにより、便器本体１５の左右側面のそれぞれについて独立して製作できるので、その作業が極めて容易である。これらの各分割片１２Ａ〜１２Ｃは、左右の側面板１０Ａ，１０Ｂの木口にダボ嵌合方式又はビスなどにより固定されている。
【００１２】
また下部側の分割片１２Ｂ及び１２Ｃの内側縁には、可撓性を有する緩衝材（図示せず）が取り付けられており、便器本体１６の外周面との間に隙間が形成されないようになされている。
【００１３】
またキャビネット７の左右には、それぞれ壁面１３Ｂ，１３Ｃとの間に形成された収納空間Ａ及びＢを開閉するための開閉扉１１が設けられている。左右の開閉扉１１，１１は、それぞれ固定板１１Ａと可動板１１Ｂとを備えており、可動板１１Ｂを固定板１１Ａに対して移動させて、左右の壁面１３Ａ，１３Ｂまでの寸法に合わせることができるようになされている。寸法調整は、図２の図（Ｃ）に示すように、可動板１１Ｂに長孔２１を形成し、ビス２２を緩めて可動板１１Ｂを固定板１１Ａに対して進退させることにより行っている。開閉扉１１の開閉は、キャビネットの側面板１０Ａ，１０Ｂに取り付けたヒンジ２３を介して行うようになされている。開閉扉１１，１１を開閉することにより、収納空間Ａ及びＢに物を収納したり、取り出したりできるようになっている。
【００１４】
ところで、カウンター８は、図１に示すように、キャビネット７と、収納空間Ａ及びＢを含めた左右の開閉扉１１，１１の全体に被さるように一体的に形成されている。またカウンター８は、図１及び図３に示すように、洗浄タンク２４の手洗い吐水管２５を含めた手洗い鉢部２６を外部へ導出するための開口２７が形成されている。更に図３に示す如く、カウンター８の長手方向の端部裏面には、長手方向へ伸びる凹条２８が短手方向の全幅にわたり複数形成されており、凹条２８どうしの間に強度を確保するためのリブ２９が形成されている。図３に示すとおり、凹条２８の幅寸法は、リブ２９の幅寸法よりも大きく形成されている。
【００１５】
凹条２８は、トイレ室内の間口寸法に対処するためのものである。すなわち、凹条２８が設けられている開口調整範囲内において、カウンター８をトイレ室内の間口寸法に合わせて凹条２８とクロスする短手方向で切断することにより、建物室内の間口寸法にカウンター８の長さ寸法を合わせることが容易である。しかも、凹条２８の空間の分だけ現場における切断作業が不要となり、切断作業が極めて容易である。一方、凹条２８どうしの間及び前後の両端には、リブ２９が形成されているため、当該凹条２８が設けられている部分の強度を確保することができ、曲げ応力等によって簡単に破断するというようなことはない。
【００１６】
図４は、本発明の第２の実施の形態に係るカウンター３０の部分断面斜視図である。同図に示す如く、この実施の形態にあっては、カウンター３０の長手方向端面に開口し長手方向へ伸びる空洞３１を短手方向の全幅にわたり複数形成している。空洞３１どうしの間及び両端側には、やはりリブ３２が形成されている。図４に示すとおり、空洞３１の幅寸法は、リブ３２の幅寸法よりも大きく形成されている。空洞３１が設けられている開口調整範囲内において、カウンター３０をトイレ室内の間口寸法に合わせて空洞３１とクロスする短手方向で切断することにより、建物室内の間口寸法にカウンター３０の長さ寸法を合わせることが容易である。しかも、空洞３０の空間の分だけ現場における切断作業が不要となり、切断作業が極めて容易である。一方、空洞３０どうしの間及び前後の両端には、カウンター３０の表面側の厚み部分３３から裏面側の厚み部分３４まで連続するリブ３２が形成されているため、当該空洞３０が設けられている部分の強度を確保することができ、曲げ応力等によって簡単に破断するというようなことはない。
【００１７】
ところで、本発明は上述した実施の形態に限定されるものではなく、適宜の変更が可能である。例えば、カウンターは、トイレ室に設置される便器本体の洗浄タンクをカバーするキャビネットのものに限られず、洗面所のカウンターやその他の通常の棚のように間口寸法に合わせる必要のある箇所に用いられるものであれば、同様に適用可能である。またカウンターの長手方向端面に設けた凹条及び空洞は、カウンターの片方の端面に設けた場合のみを説明したが、両端に設けてもよい。この場合は、間口調整範囲が倍になるという利点がある。
【００１８】
【発明の効果】
以上説明したように本発明にあっては、カウンターの長手方向端部裏面に、長手方向へ伸びる凹条を複数形成し、凹条どうしの間に強度を確保するためのリブを形成したから、各凹条の範囲内において、カウンターを凹条とクロスする方向で切断することにより、現場における切断作業が極めて容易であり、建物室内の間口寸法にカウンターの長さ寸法を合わせることが容易である。しかも、凹条どうしの間にリブが形成されているため、当該凹条部分の強度を確保することができ、曲げ応力等によって簡単に破断するというようなこともない。
【００１９】
また本発明にあっては、カウンターの長手方向端面に、長手方向へ伸びる空洞を複数形成している。この空洞部の構成であっても、前記凹条と同一の作用効果を得ることが可能である。
【図面の簡単な説明】
【図１】本発明の第１の実施の形態に係るキャビネットを、トイレ室内へ組み込んだ状態の正面図である。
【図２】本発明の第１の実施の形態に係るものであり、図（Ａ）はキャビネットの天板を取り除いた状態の平面図、図（Ｂ）は背板と左右の側面板との関係を示す背面側から見た斜視図、図（Ｃ）は扉の部分拡大横断面図である。
【図３】本発明の第１の実施の形態に係るカウンターの端部裏面形状を示す部分斜視図である。
【図４】本発明の第２の実施の形態に係るカウンターの端部裏面形状を示す部分断面斜視図である。
【図５】従来のトイレ室に設置された便器及びその洗浄タンクカバー用のキャビネットに設けられるカウンターの全体を示す斜視図である。
【図６】従来の洗浄タンクのキャビネットに設けられるカウンターを拡大して示す斜視図である。
【符号の説明】
７…キャビネット、８…カウンター、１６…便器本体、２４…洗浄タンク、２８…凹条、２９…リブ、３０…カウンター、３１…空洞、３２…リブ
【図１】
0004114042.tif 000002
【図２】
0004114042.tif 000003
【図５】
0004114042.tif 000004
【図６】
0004114042.tif 000005
【図３】
0004114042.tif 000006
【図４】
0004114042.tif 000007